(57)【要約】【課題】ＶＣＲとＤＶＤＰとの複合装置内にＶＣＲ部のオプション情報及びＤＶＤＰ部のオプション情報を一緒に格納する一つの格納部を設置し、該格納部からＶＣＲ部のオプション情報及びＤＶＤＰ部のオプション情報を受信し得る複合装置のオプション情報管理装置及びその方法を提供する。【解決手段】相互相違な機能を遂行する第１電子機器と第２電子機器とを複合した装置であって、前記第１電子機器及び第２電子機器のオプション情報を格納する格納部と、　前記第１電子機器のオプション情報要求信号を発生し、該発生されたオプション情報要求信号を出力する第１マイクロコンピューターと、前記オプション情報要求信号に基づいて前記格納部に格納された第１電子機器のオプション情報を読み出し、該読み出したオプション情報を前記第１マイクロコンピューターに出力する第２マイクロコンピューターと、を包含して複合装置のオプション情報管理装置を構成する。【選択図】　　　図１
2004005906.tif 000002
【特許請求の範囲】
【請求項１】
相互相違な機能を遂行する第１電子機器と第２電子機器とを複合した装置であって、
前記第１電子機器及び第２電子機器のオプション情報を格納する格納部と、
前記第１電子機器のオプション情報要求信号を発生し、該発生されたオプション情報要求信号を出力する第１マイクロコンピューターと、
前記オプション情報要求信号に基づいて前記格納部に格納された第１電子機器のオプション情報を読み出し、該読み出したオプション情報を前記第１マイクロコンピューターに出力する第２マイクロコンピューターと、を包含して構成されることを特徴とする複合装置のオプション情報管理装置。
【請求項２】
前記オプション情報及び前記要求信号を伝達するコネクター（Ｃｏｎｎｅｃｔｏｒ）が追加して構成されることを特徴とする請求項１記載の複合装置のオプション情報管理装置。
【請求項３】
前記第２電子機器のオプション情報は、ＤＴＳ（Ｄｉｇｉｔａｌ　ｔｈｅａｔｅｒ　ｓｙｓｔｅｍ）有無情報、ＶＣＤ（ｖｉｄｅｏ　ｃｏｍｐａｃｔ　ｄｉｓｋ）再生有無情報、ＭＰ３ＭＰＥＧｌａｙｅｒ３、ＭＰ３ファイル再生有無情報、ＰＡＬ（ｐｈａｓｅ　ａｌｔｅｒｎａｔｉｏｎｂｙ　ｌｉｎｅ　ｓｙｓｔｅｍ）／ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）選択有無情報及びＳ−ＶＨＳ（Ｓｕｐｅｒ　ｖｉｄｅｏ　ｈｏｍｅ　ｓｙｓｔｅｍ）出力有無情報中、少なくとも一つ以上であることを特徴とする請求項１記載の複合装置のオプション情報管理装置。
【請求項４】
前記第１電子機器のオプション情報は、ＰＧ（Ｐｈａｓｅ　Ｇｅｎｅｒａｔｏｒデータ、ＯＥＭ（Ｏｒｉｇｉｎａｌ　Ｅｑｕｉｐｍｅｎｔ　Ｍａｎｕｆａｃｔｕｒｅ）−バイヤー情報（Ｂｕｙｅｒ　Ｉｎｆｏｒｍａｔｉｏｎ）、ＡＣＳＳ（Ａｕｔｏ　Ｃｌｏｃｋ　Ｓｅｔｔｉｎｇ　Ｓｙｓｔｅｍ）オン／オフ情報、Ｇ−コード（Ｇ−Ｃｏｄｅ）有無に関する情報及びフロント−ジャック（Ｆｒｏｎｔ−ｊａｃｋ）有無に関する情報中、少なくとも一つ以上であることを特徴とする請求項１記載の複合装置のオプション情報管理装置。
【請求項５】
前記ＯＥＭ−バイヤー情報は、リモートコントローラ（ｒｅｍｏｔｅ　ｃｏｎｔｒｏｌｌｅｒｒ）コード及びＯＳＤ（Ｏｎ　Ｓｃｒｅｅｎ　Ｄｉｓｐｌａｙ）フォーマットであることを特徴とする請求項４記載のＶＣＲとＤＶＤＰとの複合装置のオプション情報管理装置。
【請求項６】
前記格納部は、前記複合装置の内部の第２電子機器の内部のみに設置されることを特徴とする請求項１記載の複合装置のオプション情報管理装置。
【請求項７】
前記格納部は、前記複合装置の内部の第１電子機器の内部のみに設置されることを特徴とする請求項１記載の複合装置のオプション情報管理装置。
【請求項８】
前記格納部は、ＥＥＰＲＯＭ（ｅｌｅｃｔｒｉｃａｌｌｙ　ｅｒａｓａｂｌｅ　ｐｒｏｇｒａｍｍａｂｌｅ　ｒｅａｄ−ｏｎｌｙ　ｍｅｍｏｒｙ）であることを特徴とする請求項１記載の複合装置のオプション情報管理装置。
【請求項９】
前記ＥＥＰＲＯＭは、前記複合装置の内部の第２電子機器の内部のみに設置されることを特徴とする請求項８記載の複合装置のオプション情報管理装置。
【請求項１０】
前記第１マイクロコンピューターは、前記複合装置の内部の第１電子機器に設置され、前記複合装置がリセット（Ｒｅｓｅｔ）されると、前記要求信号を前記複合装置の内部の第２電子機器に設置された前記第２マイクロコンピューターに出力して前記第１電子機器のオプション情報を受信することを特徴とする請求項９記載の複合装置のオプション情報管理装置。
【請求項１１】
前記ＥＥＰＲＯＭは、前記複合装置の内部の第１電子機器の内部のみに設置されることを特徴とする請求項８記載の複合装置のオプション情報管理装置。
【請求項１２】
前記第１マイクロコンピューターは、前記複合装置の内部の第２電子機器に設置され、前記複合装置がリセット（Ｒｅｓｅｔ）されると、前記要求信号を前記複合装置の内部の第１電子機器に設置された前記第２マイクロコンピューターに出力して前記第２電子機器のオプション情報を受信することを特徴とする請求項１１記載の複合装置のオプション情報管理装置。
【請求項１３】
相互相違な機能を遂行する第１電子機器と第２電子機器とを複合した複合装置であって、
前記第１電子機器及び第２電子機器のオプション情報を一つのメモリに格納する段階と、
前記複合装置がリセットされると、前記第１電子機器が前記第２電子機器にオプション情報を要請する段階と、
前記要請されたオプション情報を第２電子機器から第１電子機器に伝送する段階と、を順次行うことを特徴とする複合装置のオプション情報管理方法。
【請求項１４】
前記一つのメモリは、前記複合装置の第２電子機器の内部に設置されることを特徴とする請求項１３記載の複合装置のオプション情報管理方法。
【請求項１５】
前記情報を要請する段階は、
前記複合装置がリセットされると、前記複合装置の第１電子機器の内部に設置されたマイクロコンピューターから要求信号を発生する段階と、
該要求信号を前記第２電子機器の内部に設置されたマイクロコンピューターに出力する段階と、を順次行うことを特徴とする請求項１４記載の複合装置のオプション情報管理方法。
【請求項１６】
前記伝送する段階は、
前記要求信号に基づいて前記第２電子機器の内部に設置されたマイクロコンピューターで前記メモリに予め格納された前記第１電子機器のオプション情報を読み入れる段階と、
該読み入れたオプション情報を前記第１電子機器の内部に設置されたマイクロコンピューターに伝送する段階と、を順次行うことを特徴とする請求項１３から請求項１５までの何れか一項に記載の複合装置のオプション情報管理方法。
【請求項１７】
前記要請する段階は、
前記複合装置がリセットされると、前記複合装置の前記第２電子機器の内部に設置されたマイクロコンピューターから要求信号を発生する段階と、
該要求信号を前記第１電子機器の内部に設置されたマイクロコンピューターに出力する段階と、を順次行うことを特徴とする請求項１４記載の複合装置のオプション情報管理方法。
【請求項１８】
前記伝送する段階は、
前記要求信号に基づいて前記第１電子機器の内部に設置されたマイクロコンピューターで前記メモリに予め格納された前記第２電子機器のオプション情報を読み入れる段階と、
該読み入れた第２電子機器のオプション情報を前記第２電子機器の内部に設置されたマイクロコンピューターに伝送する段階と、を順次行うことを特徴とする請求項１３、請求項１４又は請求項１７の何れか一項に記載の複合装置のオプション情報管理方法。
【請求項１９】
前記第２電子機器のオプション情報は、ＤＴＳ（Ｄｉｇｉｔａｌ　ｔｈｅａｔｅｒ　ｓｙｓｔｅｍ）有無情報、ＶＣＤ（ｖｉｄｅｏ　ｃｏｍｐａｃｔ　ｄｉｓｋ）再生有無情報、ＭＰ３（ＭＰＥＧ　ｌａｙｅｒ３；ＭＰ３）ファイル再生有無情報、ＰＡＬ（ｐｈａｓｅ　ａｌｔｅｒｎａｔｉｏｎｂｙ　ｌｉｎｅ　ｓｙｓｔｅｍ）／ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）選択有無情報及びＳ−ＶＨＳ（Ｓｕｐｅｒ　ｖｉｄｅｏ　ｈｏｍｅ　ｓｙｓｔｅｍ）出力有無情報中、何れか少なくとも一つ以上であることを特徴とする請求項１３記載の複合装置のオプション情報管理方法。
【請求項２０】
前記第１電子機器のオプション情報は、ＰＧ（Ｐｈａｓｅ　Ｇｅｎｅｒａｔｏｒデータ、ＯＥＭ（Ｏｒｉｇｉｎａｌ　Ｅｑｕｉｐｍｅｎｔ　Ｍａｎｕｆａｃｔｕｒｅ）−バイヤー情報（Ｂｕｙｅｒ　Ｉｎｆｏｒｍａｔｉｏｎ）、ＡＣＳＳ（Ａｕｔｏ　Ｃｌｏｃｋ　Ｓｅｔｔｉｎｇ　Ｓｙｓｔｅｍ）オン／オフ情報、Ｇ−コード（Ｇ−Ｃｏｄｅ）有無に関する情報及びフロント−ジャック（Ｆｒｏｎｔ−ｊａｃｋ）有無に関する情報中、何れか少なくとも一つ以上であることを特徴とする請求項１３記載の複合装置のオプション情報管理方法。
【発明の詳細な説明】
【０００１】
【発明の属する技術分野】
本発明は、ＶＣＲ（ｖｉｄｅｏ　ｃａｓｓｅｔｔｅ　ｒｅｃｏｒｄｅｒｓ；ＶＣＲ）とＤＶＤＰ（Ｄｉｇｉｔａｌ　Ｖｉｄｅｏ　Ｄｉｓｃ　Ｐｌａｙｅｒ；ＤＶＤＰ）との複合装置（Ｃｏｍｐｏｓｉｔｅ　Ａｐｐａｒａｔｕｓ）に係るもので、詳しくは、ＶＣＲとＤＶＤＰとの複合装置のオプション情報管理装置及びその方法に関するものである。
【０００２】
【従来の技術】
最近、ＶＣＲとＤＶＤＰとを一つの装置に具現した複合装置が登場して注目を受けている。通常、前記複合装置の内部のＶＣＲ部のマイクロコンピューターは、マスター（ｍａｓｔｅｒ）の機能を遂行するが、基本的な制御機能は、各マイクロコンピューターにより実行される。又、従来のＶＣＲとＤＶＤＰとの複合装置は、内部のＶＣＲ部に設置された第１格納部にＶＣＲのオプション情報を格納して、内部のＤＶＤＰに設置された第２格納部にＤＶＤＰのオプション情報を格納し、該格納されたオプション情報を独立的に参照した。これを図４を参照して説明する。
【０００３】
従来のＶＣＲとＤＶＤＰとの複合装置のオプション情報管理装置においては、図４に示したように、電源部４０から電源の供給を受けて、前記ＶＣＲとＤＶＤＰとの複合装置の内部のＶＣＲ部（図示されず）の内部に設置され、該ＶＣＲ部のオプション情報を格納するＥＥＰＲＯＭ（ｅｌｅｃｔｒｉｃａｌｌｙ　ｅｒａｓａｂｌｅ　ｐｒｏｇｒａｍｍａｂｌｅ　ｒｅａｄ−ｏｎｌｙ　ｍｅｍｏｒｙ）１０−１と、前記ＶＣＲとＤＶＤＰとの複合装置の内部のＶＣＲ部に設置され、前記ＶＣＲ部の駆動を制御し、前記ＥＥＰＲＯＭ１０−１から前記ＶＣＲ部のオプション情報を受信するマイクロコンピューター１０と、前記電源部４０から電源の供給を受けて、前記ＶＣＲとＤＶＤＰとの複合装置の内部のＤＶＤＰ部（図示されず）の内部に設置され、前記ＤＶＤＰ部のオプション情報を格納するＥＥＰＲＯＭ２０−１と、前記ＶＣＲとＤＶＤＰとの複合装置の内部のＤＶＤＰ部の内部に設置され、前記ＤＶＤＰ部の駆動を制御し、前記ＥＥＰＲＯＭ２０−１から前記ＤＶＤＰ部のオプション情報を受信するマイクロコンピューター２０と、を包含して構成されていた。ここで、前記第１マイクロコンピューター１０は、中央処理装置１２と、ＲＡＭ（Ｒａｎｄｏｍ　Ａｃｃｅｓｓ　Ｍｅｍｏｒｙ；ＲＡＭ）１１と、から構成されて、前記第２マイクロコンピューター２０は、中央処理装置２１と、ＲＡＭ２２と、から構成される。
【０００４】
以下、前記ＶＣＲとＤＶＤＰとの複合装置のオプション情報管理装置の動作を説明する。
【０００５】
先ず、前記第１マイクロコンピューター１０は、前記ＶＣＲとＤＶＤＰとの複合装置の内部のＶＣＲ部の内部に設置されて、前記ＶＣＲ部の駆動を制御する。又、前記第１マイクロコンピューター１は、前記ＶＣＲとＤＶＤＰとの複合装置がパワーオン（ｐｏｗｅｒ　ｏｎ）されると、前記ＥＥＰＲＯＭ１０−１からＶＣＲ部のオプション情報を受信する。
【０００６】
且つ、前記第２マイクロコンピューター２０は、前記ＤＶＤＰ部に設置されて、該ＤＶＤＰ部の駆動を制御し、前記ＤＶＤＰ部の内部に設置されたＥＥＰＲＯＭ２０−１からＤＶＤＰ部のオプション情報を受信する。この時、前記ＶＣＲ及びＤＶＤＰのオプション情報は、画面上に表示される。
【０００７】
【発明が解決しようとする課題】
然るに、このような従来のＶＣＲとＤＶＤＰとの複合装置のオプション情報管理装置においては、前記ＶＣＲとＤＶＤＰとの複合装置のＶＣＲ部及びＤＶＤＰ部の内部に夫々前記ＶＣＲ部のオプション情報を格納するＥＥＰＲＯＭ１０−１と、前記ＤＶＤＰ部のオプション情報を格納するＥＥＰＲＯＭ２０−１と、が設置され、それらＥＥＰＲＯＭ１０−１、２０−１から前記ＶＣＲ部のオプション情報及びＤＶＤＰ部のオプション情報を独立的に読み出す（ｒｅａｄｉｎｇ）ことで、前記ＶＣＲとＤＶＤＰとの複合装置内に設置された二つのＥＥＰＲＯＭによって該複合装置の原価が上昇すると共に、複合装置を小型化し得ないという不都合な点があった。
【０００８】
本発明は、このような従来の課題に鑑みてなされたもので、前記ＶＣＲとＤＶＤＰとの複合装置内にＶＣＲ部のオプション情報及びＤＶＤＰ部のオプション情報を一緒に格納する一つの格納部を設置し、該格納部からＶＣＲ部のオプション情報及びＤＶＤＰ部のオプション情報を受信し得る複合装置のオプション情報管理装置及びその方法を提供することを目的とする。
【０００９】
【課題を解決するための手段】
このような目的を達成するため、本発明に係る複合装置のオプション情報管理装置においては、相互相違な機能を遂行する第１電子機器と第２電子機器とを複合した装置であって、前記第１電子機器及び第２電子機器のオプション情報を格納する格納部と、前記第１電子機器のオプション情報要求信号を発生して、該発生されたオプション情報要求信号を出力する第１マイクロコンピューターと、前記オプション情報要求信号に基づいて前記格納部に格納された第１電子機器のオプション情報を読み出し、該読み出したオプション情報を前記第１マイクロコンピューターに出力する第２マイクロコンピューターと、を包含して構成されることを特徴とする。
【００１０】
又、本発明に係る複合装置のオプション情報管理方法においては、相互相違な機能を遂行する第１電子機器と第２電子機器とを複合した装置において、それら第１電子機器及び第２電子機器のオプション情報を一つのメモリに格納する段階と、前記複合装置がリセットされると、前記第１電子機器が前記第２電子機器にオプション情報を要請する段階と、前記要請されたオプション情報を第２電子機器から第１電子機器に伝送する段階と、を順次行うことを特徴とする。
【００１１】
【発明の実施の形態】
以下、本発明の実施の形態について図面を用いて説明する。
【００１２】
本発明に係るＶＣＲとＤＶＤＰとの複合装置のオプション情報管理装置においては、図１に示したように、コネクター（Ｃｏｎｎｅｃｔｏｒ）３００と、該コネクター３００と電気的に連結され、前記ＶＣＲとＤＶＤＰとの複合装置の内部のＶＣＲ部（図示されず）に設置され、該ＶＣＲ部の駆動を制御し、前記ＶＣＲとＤＶＤＰとの複合装置がリセット（Ｒｅｓｅｔ）｛初期状態にセット（ｓｅｔ）｝されると、前記コネクター３００を通って要求信号を出力して前記ＶＣＲ部のオプション情報を受信する第１マイクロコンピューター１００と、前記ＶＣＲとＤＶＤＰとの複合装置のＤＶＤＰ部（図示されず）の内部に設置され、該ＤＶＤＰ部のオプション情報及びＶＣＲ部のオプション情報を一緒に格納する一つのＥＥＰＲＯＭ２００−１と、前記コネクター３００と電気的に連結され、前記ＶＣＲとＤＶＤＰとの複合装置のＤＶＤＰ部に設置され、該ＤＶＤＰ部の駆動を制御し、前記ＶＣＲ部に設置されたマイクロコンピューター１００の要求信号に基づいて前記ＤＶＤＰ部に設置された一つのＥＥＰＲＯＭ２００−１から前記ＶＣＲ部のオプション情報を読み出し、該読み出したオプション情報を前記ＶＣＲ部のマイクロコンピューター１００に出力するマイクロコンピューター２００と、を包含して構成されている。ここで、前記第１マイクロコンピューター１００は、中央処理装置１０２及びＲＡＭ１０１から構成されて、前記第２マイクロコンピューター２００は中央処理装置２０１及びＲＡＭ２０２から構成される。
【００１３】
以下、前記ＶＣＲとＤＶＤＰとの複合装置のオプション情報管理装置の動作について説明する。
【００１４】
先ず、前記第１マイクロコンピューター１００の第１中央処理装置１０２は、前記ＶＣＲとＤＶＤＰとの複合装置の内部のＶＣＲ部に設置され、前記ＶＣＲ部の駆動を制御する。又、前記中央処理装置１０２は、前記ＶＣＲとＤＶＤＰとの複合装置がリセット（Ｒｅｓｅｔ）されると、要求信号を発生し、該発生された要求信号を前記第１コネクター３００を通って前記ＶＣＲとＤＶＤＰとの複合装置のＤＶＤＰ部（図示されず）に設置された第２中央処理装置２０１に出力する。
【００１５】
次いで、前記ＤＶＤＰ部の第２中央処理装置２０１は、前記ＤＶＤＰ部に設置され、前記ＤＶＤＰ部の駆動を制御し、前記ＶＣＲ部の第１マイクロコンピューター１００の要求信号に基づいて前記ＤＶＤＰ部に設置されたＥＥＰＲＯＭ２００−１に予め格納されたＤＶＤＰ部のオプション情報及びＶＣＲ部のオプション情報中、前記ＶＣＲ部のオプション情報を読み出し、該読み出した情報を前記ＶＣＲ部の第１中央処理装置１０２に出力する。
【００１６】
次いで、前記電源部４００は、前記ＶＣＲ部に設置された第１マイクロコンピューター１００、前記ＤＶＤＰ部に設置された第２マイクロコンピューター２００及び前記ＥＥＰＲＯＭ２００−１が該当の機能を遂行し得るように前記第１及び第２マイクロコンピューター１００、２００及び前記ＥＥＰＲＯＭ２００−１に電源を供給する。
【００１７】
又、前記ＥＥＰＲＯＭ２００−１は、前記ＤＶＤＰ部のオプション情報及び前記ＶＣＲ部のオプション情報を格納するために二つの格納領域に分類され、該分類された格納領域中、一つの格納領域には、前記ＤＶＤＰ部のオプション情報が記録され、他の格納領域には、前記ＶＣＲ部のオプション情報が記録される。
【００１８】
ここで、前記ＤＶＤＰ部のオプション情報は、ＤＴＳ（Ｄｉｇｉｔａｌ　ｔｈｅａｔｅｒ　ｓｙｓｔｅｍ）有無情報、ＶＣＤ（ｖｉｄｅｏ　ｃｏｍｐａｃｔ　ｄｉｓｋ）再生有無情報、ＭＰ３（ＭＰＥＧ１　ｌａｙｅｒ３）ファイル再生有無情報、ＰＡＬ（ｐｈａｓｅ　ａｌｔｅｒｎａｔｉｏｎｂｙ　ｌｉｎｅ　ｓｙｓｔｅｍ）／ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）選択有無情報及びＳ−ＶＨＳ（Ｓｕｐｅｒ　ｖｉｄｅｏ　ｈｏｍｅ　ｓｙｓｔｅｍ）出力有無情報などを含む。
【００１９】
前記ＶＣＲ部のオプション情報は、ＰＧ（Ｐｈａｓｅ　Ｇｅｎｅｒａｔｏｒ；ＰＧ）データ、ＯＥＭ（Ｏｒｉｇｉｎａｌ　Ｅｑｕｉｐｍｅｎｔ　Ｍａｎｕｆａｃｔｕｒｅ；ＯＥＭ）−バイヤー情報（Ｂｕｙｅｒ　Ｉｎｆｏｒｍａｔｉｏｎ）、ＡＣＳＳ（Ａｕｔｏ　Ｃｌｏｃｋ　Ｓｅｔｔｉｎｇ　Ｓｙｓｔｅｍ；ＡＣＳＳ）オン／オフ情報、Ｇ−コード（Ｇ−Ｃｏｄｅ）有無に関する情報及びフロントジャック（Ｆｒｏｎｔ−ｊａｃｋ）有無に関する情報などを含む。又、前記ＯＥＭ−バイヤー情報は、リモートコントローラ（ｒｅｍｏｔｅ　ｃｏｎｔｒｏｌｌｅｒｒ）コード及びＯＳＤ（Ｏｎ　Ｓｃｒｅｅｎ　Ｄｉｓｐｌａｙ；ＯＳＤ）フォーマット情報から構成される。
【００２０】
又、前記ＯＥＭ−バイヤー情報、ＡＣＳＳオン／オフ情報、Ｇ−コード（Ｇ−Ｃｏｄｅ）有無に関する情報及びフロント−ジャック有無に関する情報は、任意の格納モードを設定して前記ＥＥＰＲＯＭ２００−１の該当のアドレスに格納される。
【００２１】
又、前記ＰＧ（Ｐｈａｓｅ　Ｇｅｎｅｒａｔｏｒ）データ情報は、前記ＶＣＲ部の第１マイクロコンピューター１００で別途のＰＧデータ調整モードを設定し、該設定された値が図１のような過程により前記ＥＥＰＲＯＭ３の該当アドレスに格納された後、生成される。即ち、前記ＰＧデータを格納した前記複合装置が消費者に販売されるが、前記ＰＧデータ格納過程について図２に基づいて詳細に説明すると、次のようである。
【００２２】
図２は、本発明に係るＰＧデータ格納過程を示したフローチャートで、図１及び図２に基づいて、生産工程中、前記ＰＧデータ情報を格納する方法について説明する。
【００２３】
先ず、前記ＶＣＲ部では、ビデオテープのトラック下段から６．５Ｈ地点に垂直同期信号｛ｖｅｒｔｉｃａｌ　ｓｙｎｃｈｒｏｎｉｚａｔｉｏｎ　ｓｉｇｎａｌ；（Ｖｓｙｎｃ）｝が記録されて製作されたＳＰ（Ｓｔａｎｄａｒｄ　Ｐｌａｙ）転用専用テープ（Ｔａｐｅ）を再生すると、入力される垂直同期信号を基準にビデオスイッチング信号｛Ｄｒｕｍ　Ｍｏｔｏｒ（図示されず）が回転する時に発生される３０Ｈｚ信号｝の下降エッジ（ｆａｌｌｉｎｇ　ｅｄｇｅ）が６．５Ｈ先に切換されるように調整するが、これをＰＧ調整という。
【００２４】
即ち、テープに記録された信号を読み入れたりそのテープに信号を記録するドラム（Ｄｒｕｍ）を駆動するモータ（Ｍｏｔｏｒ）に設置されるＰＧセンサーの誤差に関係なく、前記ビデオスイッチング信号及び垂直同期信号が正確に６．５Ｈを維持し得るようにするためには、ビデオセット（Ｖｉｄｅｏ　Ｓｅｔ）毎に固有のＰＧデータを有しなければならない。従って、生産工程でＰＧデータ調整モードを設定し、該調整モード調整後に発生されるＰＧデータを前記ＥＥＰＲＯＭ２００−１の該当領域に格納する。即ち、調整モードでＳＰテープが挿入されて垂直同期信号（Ｖｓｙｎｃ）が入力されることを確認した後、ＰＧ遅延値（ＰＧデータ）が６．５Ｈになるように修正する（ＳＡ１−ＳＡ４）。ここで、前記ＰＧデータとは、前記ビデオスイッチング信号を垂直同期信号（Ｖｓｙｎｃ）から６．５Ｈ先に発生（Ｇｅｎｅｒａｔｉｏｎ）させるための遅延（Ｄｅｌａｙ）値を言う。
【００２５】
次いで、前記ＶＣＲ部の第１マイクロコンピューター１００の中央処理装置１０１は、前記ＰＧデータを前記ＤＶＤＰ部の第２マイクロコンピューター２００の中央処理装置２０２に伝送し、前記ＤＶＤＰ部の中央処理装置２０２は、前記ＰＧデータをＲＡＭ２０２に一時格納し、該一時格納されたＰＧデータを前記ＥＥＰＲＯＭ２００−１の該当領域に格納する動作を必要によって反復遂行する。ここで、前記ＰＧデータが前記ＥＥＰＲＯＭ２００−１に格納完了されないと、前記ＰＧデータを前記ＤＶＤＰ部の第２マイクロコンピューター２００の中央処理装置２０２に伝送する過程（ＳＡ５−ＳＡ６）を反復遂行する（ＳＡ５−ＳＡ７）。
【００２６】
一方、前記ＶＣＲ部のオプション情報と前記ＤＶＤＰ部のオプション情報とが前記一つのＥＥＰＲＯＭ２００−１に夫々分離されて格納された状態で、消費者に販売され、消費者が前記複合装置を購入した後、前記複合装置に初期電源を供給する時、又は停電されて所定時間が過ぎた後に前記複合装置に電源が供給されて前記ＶＣＲ部の第１マイクロコンピューター１００がリセット（Ｒｅｓｅｔ）された場合に前記ＲＡＭ１０１、２０２に夫々一時格納されたＶＣＲオプション情報及びＤＶＤＰオプション情報は削除されたために、ＶＣＲ及びＤＶＤＰを正常に動作させるためには、前記ＤＶＤＰ部のＥＥＰＲＯＭ２００−１に格納された前記ＶＣＲ部のオプション情報を該ＶＣＲ部の第１マイクロコンピューター１００のＲＡＭ１０１に格納して、前記ＤＶＤＰ部のＥＥＰＲＯＭ２００−１に格納された該ＤＶＤＰ部のオプション情報を前記ＤＶＤＰ部の第２マイクロコンピューター２００のＲＡＭ２０１に夫々格納する過程が必要となる。従って、前記ＶＣＲ部の第１マイクロコンピューター１００がリセットされた場合、前記ＶＣＲを正常に動作させるために、前記ＥＥＰＲＯＭ２００−１から前記ＶＣＲ部のオプション情報を読み出し、該読み出したＶＣＲ部のオプション情報をＲＡＭ１０１に格納する過程について図３を用いて説明すると、次のようである。
【００２７】
先ず、前記電源部４００から前記ＶＣＲ部の第１マイクロコンピューター１００に電源が供給されるか、又は待機（ｓｔａｎｄｂｙ）電源が継続して供給されると、前記ＶＣＲ部の第１マイクロコンピューター１００はリセットされない。この時、前記ＶＣＲ部の中央処理装置１０２は、ＲＡＭ１０１に以前に格納された前記ＶＳＲ部のオプション情報を継続して使用することができる（ＳＢ１、ＳＢ２）。
【００２８】
反面、所定時間（例えば、数十分）以上停電された後、復電されて前記ＶＣＲとＤＶＤＰとの複合装置が動作する時、前記ＶＣＲ部の第１マイクロコンピューター１００はリセットされる。この時、前記ＶＣＲ部の中央処理装置１０２は、要求信号を発生し、該発生された要求信号を前記ＤＶＤＰ部の第１マイクロコンピューター２００に出力して前記ＶＣＲ部のオプション情報を要求する（ＳＢ３）。
【００２９】
次いで、前記ＤＶＤＰ部の中央処理装置２０１は、前記要求信号に基づいて前記ＥＥＰＲＯＭ２００−１の該当領域で前記ＶＣＲ部のオプション情報を読み出し、該読み出したＶＣＲ部のオプション情報を前記ＶＣＲ部の中央処理装置１０２に出力する。
【００３０】
次いで、前記ＶＣＲ部の中央処理装置１０２は、前記ＤＶＤＰ部の中央処理装置２０１から出力される前記ＶＣＲ部のオプション情報を受信し、該受信されたＶＣＲ部のオプション情報をＶＣＲ部のＲＡＭ１０１に格納し、前記ＶＣＲ部が駆動する時、前記ＲＡＭ１０１に格納された前記ＶＣＲ部のオプション情報を参照する（ＳＢ４、ＳＢ５）。
【００３１】
又、本発明は、前記ＥＥＰＲＯＭ２００−１だけでなく、いかなる情報を格納し得る多様な構造のメモリ又は格納装置を使用することもできる。
【００３２】
一方、本発明は、前記ＤＶＤＰ部のオプション情報及びＶＣＲ部のオプション情報を格納するＥＥＰＲＯＭ２００−１を前記ＶＣＲとＤＶＤＰとの複合装置の内部のＶＣＲ部のみに設置し、前記ＤＶＤＰ部のマイクロコンピューターが前記ＶＣＲ部に設置されたＥＥＰＲＯＭ２００−１について前記ＤＶＤＰ部のオプション情報を受信することもできる。
【００３３】
例えば、所定時間（例えば、数十分）以上停電された後、復電されて前記ＶＣＲとＤＶＤＰとの複合装置が動作する時、前記ＤＶＤＰ部の第２マイクロコンピューター２００はリセットされる。この時、前記ＤＶＤＰ部の中央処理装置２０１は、要求信号を発生し、該発生された要求信号を前記ＶＣＲ部の中央処理装置１０２に出力して前記ＤＶＤＰ部のオプション情報を要求する。
【００３４】
次いで、前記ＶＣＲ部の中央処理装置１０２は、前記要求信号に基づいて前記ＶＣＲ部の内部のみに設置されたＥＥＰＲＯＭ２００−１の該当領域で前記ＤＶＤＰ部のオプション情報を読み出し、該読み出したオプション情報を前記ＤＶＤＰ部の中央処理装置２０１に出力する。
【００３５】
次いで、前記ＤＶＤＰ部の中央処理装置２０１は、前記ＶＣＲ部の中央処理装置１０２から出力された前記ＤＶＤＰ部のオプション情報を受信し、該受信されたＤＶＤＰ部のオプション情報をＤＶＤＰ部のＲＡＭ２０２に格納し、前記ＤＶＤＰ部が駆動する時、前記ＲＡＭ２０２に格納された前記ＤＶＤＰ部のオプション情報を参照する。
【００３６】
【発明の効果】
以上説明したように、本発明に係るＶＣＲとＤＶＤＰとの複合装置のオプション情報管理装置においては、ＶＣＲとＤＶＤＰとの複合装置のＶＣＲ部又はＤＶＤＰ部に設置された一つのメモリからＶＣＲ部のオプション情報及びＤＶＤＰ部のオプション情報中、何れか一つのオプション情報を受信することで、従来のように、前記ＶＣＲ部のオプション情報及びＤＶＤＰ部のオプション情報を夫々独立的に格納する二つのＥＥＰＲＯＭ１０−１、２０−１を設置しなくても済むという効果がある。即ち、本発明に係るＶＣＲとＤＶＤＰとの複合装置のオプション情報管理装置においては、一つのメモリに前記ＶＣＲ部のオプション情報及びＤＶＤＰ部のオプション情報を一緒に格納させることで、二つのＥＥＰＲＯＭ１０−１、２０−１中、一つのＥＥＰＲＯＭを設置しなくても済むという効果がある。
【００３７】
又、本発明に係るＶＣＲとＤＶＤＰとの複合装置のオプション情報管理装置においては、ＶＣＲとＤＶＤＰとの複合装置のＶＣＲ部又はＤＶＤＰ部に前記ＶＣＲ部のオプション情報及びＤＶＤＰ部のオプション情報を一緒に格納する一つのメモリを設置することで、前記ＶＣＲとＤＶＤＰとの複合装置の原価が低減され、前記ＶＣＲとＤＶＤＰとの複合装置を小型化し得るという効果がある。
【００３８】
且つ、本発明に係るＶＣＲとＤＶＤＰとの複合装置のオプション情報管理装置においては、ＶＣＲとＤＶＤＰとの複合装置だけでなく別途のオプション情報を必要とする製品を複合して新しい複合製品を製造するとき、常に適用し得るという効果がある。
【図面の簡単な説明】
【図１】本発明に係るＶＣＲとＤＶＤＰとの複合装置のオプション情報管理装置を示したブロック図である。
【図２】本発明に係るＰＧデータの格納過程を示したフローチャートである。
【図３】本発明に係るオプション情報管理方法の処理過程を示したフローチャートである。
【図４】従来のＶＣＲとＤＶＤＰとの複合装置のオプション情報管理装置を示したブロック図である。
【符号の説明】
１００…ＶＣＲ部の第１マイクロコンピューター
１０１、２０２…ＲＡＭ
１０２、２０１…中央処理装置
２００…ＤＶＤ部の第２マイクロコンピューター
２００−１…ＥＥＰＲＯＭ
３００…コネクター
４００…電源部
【図１】
2004005906.tif 000003
【図２】
2004005906.tif 000004
【図３】
2004005906.tif 000005
【図４】
2004005906.tif 000006